(57)【要約】      （修正有）【課題】被介護者の寝具に常に敷いた状態でも寝心地が良く、また寝具上での被介護者の位置移動が容易にできる防水シートを提供する。【解決手段】重ね合わされた表シート材２及び裏シート材３を備える略方形の防水シート１であって、裏面のうち少なくとも隣り合う一対の角部に重設される帯状の把持材４を備え、この把持材が、上記角部を構成する一対の縁部間に架け渡されるよう固定して防水シートとする。上記把持材の中間部も裏面に固定されているとよい。上記表シート材がタオル地から形成され、裏シート材が防水機能を有する素材から形成されていてもよい。上記裏シート材の外側の摩擦係数が表シート材の外側の摩擦係数よりも低くしてもよい。【選択図】図１
0003162957.tif 000002
【実用新案登録請求の範囲】
【請求項１】
重ね合わされた表シート材及び裏シート材を備える略方形の防水シートであって、
裏面のうち少なくとも隣り合う一対の角部に重設される帯状の把持材を備え、
この把持材が、上記角部を構成する一対の縁部間に架け渡されるように固定されていることを特徴とする防水シート。
【請求項２】
上記把持材の中間部も裏面に固定されている請求項１に記載の防水シート。
【請求項３】
上記表シート材がタオル地から形成され、裏シート材が防水機能を有する素材から形成されている請求項１又は請求項２に記載の防水シート。
【請求項４】
上記裏シート材の摩擦係数が表シート材の摩擦係数よりも低い請求項１、請求項２又は請求項３に記載の防水シート。
【請求項５】
介護用、夜尿症（おねしょ）用、生理用、レジャー用、ペット用である請求項１から請求項４のいずれか１項に記載の防水シート。
【考案の詳細な説明】
【技術分野】
【０００１】
本考案は、防水シートに関する。
【背景技術】
【０００２】
水分等の液体を通さない防水シートは、一般的にはポリエチレンや塩化ビニール等の合成樹脂、ゴム引き布等により構成されている。その用途としては、幼児や老人の夜尿症（おねしょ）対策用の寝具やテーブルクロス等、日常生活の様々な場面で用いられている。
【０００３】
防水シートを用いた寝具としては、例えば介護の場面において、寝たきりとなった被介護者の下に敷かれるものがある。握力等の筋力の低下した被介護者の下に防水シートを敷くことによって、飲食物をこぼした場合や尿漏れの場合等の寝具の汚れを最小限に留めることができる。
【０００４】
また、寝たきりとなった被介護者の介護作業の中には、寝具の取り替え作業や褥瘡（床擦れ）防止の為の体位変換作業等がある。ベッド上での被介護者の移動を必要とするこのような作業の際に、介護者が被介護者のパジャマの裾等を掴んで引っ張る姿を目にすることがある。しかし、このような扱いは被介護者に心理的不快感を与えているとの意見も聞かれる。一方で、被介護者の身体移動を伴う作業は介護現場において非常に多く、身体移動の度に介護者が被介護者を抱きかかえる等して移動させることは、介護者の腰や膝等への身体的負担が過度に大きく、実際には大変困難であることも事実である。
【０００５】
上述のような介護の場面で用いられる防水シートとしては、非力な人でも容易に被介護者を移動できる手引き移動用シートや（例えば特許文献１等参照）、シーツ本体に重ねられた補助シートの外縁に取手が設けられており、患者の寝返りや移動が容易にできる介護用シーツ（例えば特許文献２等参照）等が発案されている。しかし、これらの防水シートはシートの外縁から飛び出る形状に取手が取り付けられているため、寝具として常設するには取手が邪魔になる構造をしている。また、上記特許文献１の移動用シートは、被介護者の身体移動を伴う場面における一時的な使用を目的とするものであり、寝具として常設するには厚みがありすぎ、また裏面のチューブ状素材が硬く、被介護者が長時間寝るには必ずしも寝心地が良いものとはいえない。
【先行技術文献】
【特許文献】
【０００６】
【特許文献１】特開２００１−３５３１８４号公報
【特許文献２】実開平６−５７３３９号公報
【考案の概要】
【考案が解決しようとする課題】
【０００７】
本考案はこれらの不都合に鑑みてなされたものであり、寝具として常設しても取手が邪魔にならず、また被介護者の位置移動が容易にできる防水シートの提供を目的とするものである。
【課題を解決するための手段】
【０００８】
上記課題を解決するためになされた考案は、
重ね合わされた表シート材及び裏シート材を備える略方形の防水シートであって、
裏面のうち少なくとも隣り合う一対の角部に重設される帯状の把持材を備え、
この把持材が、上記角部を構成する一対の縁部間に架け渡されるように固定されていることを特徴とする防水シートである。
【０００９】
当該防水シートは、重ね合わされた表シート材及び裏シート材を備え、裏面のうち少なくとも隣り合う一対の角部に帯状の把持材が重設されているため、寝具として常設しても把持材が邪魔にならず、また被介護者の身体を移動する場合には、この把持材を握って防水シートごと被介護者を目的の位置へと容易に移動することができ、被介護者のパジャマの裾等を掴まなくてもよい。
【００１０】
当該防水シートにおいて、上記把持材の中間部が裏面に固定されているとよい。把持材の中間部が裏面に固定されていることにより、被介護者を乗せて防水シートを引っ張る際に、把持材を握る指の位置が固定され、把持材が手の中でズレるのを効果的に防止することができる。また、当該防水シートに加わる介護者の力の作用点が分散することにより、把持材から防水シート本体に伝わる力が分散されて把持材の固定部分が壊れにくくなる。また、介護者の力が当該防水シート本体に伝わりやすくなり、被介護者を乗せた防水シートを任意の方向に安定して引きやすくなる。
【００１１】
上記表シート材がタオル地から形成され、裏シート材が防水機能を有する素材から形成されているとよい。これにより、当該防水シートを寝具として好適に常設することができる。つまり、被介護者に直接触れる表シート材をタオル地で形成することにより、肌触り及び寝心地が良く、また、裏シート材を防水機能を有する素材で形成することにより、飲食物がこぼれた場合や尿漏れ等の際の寝具の汚れを最小限に留めることができ、汚れた寝具の取り替え作業が簡便となる。
【００１２】
上記裏シート材の摩擦係数が表シート材の摩擦係数よりも低いとよい。これにより当該防水シートの上に被介護者を乗せて引く際に、介護者はより少ない力で被介護者を容易に移動させることができる。
【００１３】
当該防水シートは介護用だけでなく、例えば、夜尿症（おねしょ）用、生理用、レジャー用、ペット用として用いるとよい。当該防水シートは防水機能を有するため、防水機能が求められる様々な場面において好適に用いることができる。
【００１４】
ここで「中間部」とは、把持材の長手方向における一方の縁部から他方の縁部までの部分をいう。
【考案の効果】
【００１５】
以上説明したように、本考案によれば、寝具として常設しても把持材が邪魔にならず、また、寝具上での被介護者の位置移動が容易に可能となる。また、本考案は介護用以外にも、例えば、夜尿症（おねしょ）用、生理用、レジャー用、ペット用等としても好適に用いることができる。
【図面の簡単な説明】
【００１６】
【図１】本考案の一実施形態に係る防水シートの裏面を示す模式的斜視図である。
【図２】図１の防水シートの把持材の長さを説明するための模式的裏面図である。
【考案を実施するための形態】
【００１７】
以下、適宜図面を参照しつつ本考案の実施の形態を詳説する。図１の防水シート１は、表シート材２、裏シート材３、把持材４を備えている。
【００１８】
表シート材２は略方形に形成される。表シート材２の大きさとしては特に限定されるものではなく、例えば、当該防水シート１を介護用に用いる場合、表シート材２の長辺の上限としては２００ｃｍが好ましく、１８０ｃｍがより好ましく、１５０ｃｍがさらに好ましい。一方、表シート材２の長辺の下限としては１００ｃｍが好ましい。また、表シート材２の短辺の上限としては１３０ｃｍが好ましく、１２０ｃｍがより好ましく、１００ｃｍがさらに好ましい。一方、表シート材２の短辺の下限としては８５ｃｍが好ましく、９０ｃｍがより好ましい。表シート材２の長辺及び短辺を上記範囲とすることにより、当該防水シート１を被介護者の下に敷いた場合、飲食物のこぼれや尿漏れによる寝具の汚れを効果的に防止することができ、寝具の汚れを最小限とすることができる。
【００１９】
表シート材２の形成材料としては特に限定されるものではなく、一般的に敷物として用いられる材料を使用目的に合わせて適宜選択すればよい。当該防水シート１を介護用に用いる場合には、触り心地及び寝心地の良い材料が好ましく、このような材料としては、例えば、綿、麻、合成繊維等から形成される織物又は不織布等が挙げられる。中でも、綿製のタオル生地が、手触りが良く、洗濯等の取り扱いに優れるため好ましい。タオル生地の種類としては、例えば、ループ状のパイルによって構成されるパイル地、パイル部分の表面がカットされたシャーリング地、生地が厚手のホテル仕様のタオル地（例えば３４ｃｍ×８５ｃｍで３００匁等）、表面に凹凸を有するワッフル地、綿糸を粗く織ったガーゼ地等が挙げられる。また、当該防水シート１を介護用以外に用いる場合には、外観や意匠性を重視した各種材料を採用することができる。例えば、当該防水シート１をレジャー用として用いる場合の表シート材２の材料としては、意匠デザインを印刷・加工しやすいポリ塩化ビニール等の高分子樹脂等が挙げられ、ペット用の敷物として用いる場合は、毛足の長いポリエステル製の起毛素材等、動物が好みやすい素材を採用すればよい。
【００２０】
表シート材２は防水機能を有していても有していなくても良いが、例えば、当該防水シート１を介護用やペット用の敷物等に用いる場合には、触り心地や寝心地が良好な材料が好ましいため、後述する裏シート材３に防水機能を有する素材を採用し、表シート材２は触り心地や寝心地が良好な材料を採用することが好ましい。中でも、表シート材２をタオル地で形成し、裏シート材３を防水機能を有する素材で形成することが用途としての汎用性が高く好ましい。なお、当該防水シート１を、例えば、レジャー用として用いる場合等には、食べこぼしや飲みこぼし等の汚れを落としやすいように、表シート材２に防水機能を有する素材を採用してもよい。
【００２１】
裏シート材３は、上記表シート材２と平面視において同形に形成され、表シート材２の裏面に重ね合わせて固定される。裏シート材３は、上記表シート材２が防水機能を有している場合は防水機能を有していても有していなくても良く、表シート材２が防水機能を有していない場合は防水機能を有している材料で構成される。防水機能を有する素材としては、水を通さない素材からなるフィルム状のシート、布にゴム又は合成樹脂等をラミネート加工あるいはコーティング加工を施したもの等が挙げられる。当該防水シート１を介護用の寝具として用いる場合には、防水機能だけでなく、水分によるムレを防止する防湿機能を有する材料を採用することが好ましい。このような機能を有する裏シート材３の形成材料としては、例えば、綿、ナイロン等の織布に撥水加工を施したもの、合成樹脂フィルムをラミネート加工したもの、ゴム又は合成樹脂をコーティング加工したもの、細維度の繊維を用いて高密度に織りあげた織布等が挙げられる。これらの中でも、シリコン系、フッ素系の撥水剤で撥水加工を施したものや、アクリル樹脂、ポリフッ化エチレン、ポリウレタン、ポリエチレン、ポリエステル、ポリエチレンアミノ酸ウレタン重合体、ポリウレタン重合体、ポリテトラフルオロエチレン重合体、アルミニウム等でコーティング加工又はラミネート加工したものが防水性及び防湿性に優れるため好ましい。なお、裏シート材３が防水機能を有さない場合は、裏シート材３の材料は特に限定されるものではなく、上記表シート材２と同様に一般的に敷物として用いられる材料を使用目的に合わせて適宜選択すればよい。
【００２２】
また、裏シート材３は、当該防水シート１において裏面に該当する面の摩擦係数が防水シート１において表面に該当する表シート材２の面の摩擦係数よりも低い材料で構成されていると良い。当該防水シート１の裏面の摩擦係数を表面の摩擦係数よりも低くすることにより、当該防水シート１の滑り性が向上し、当該防水シート１の上に被介護者を乗せて移動させる場合、介護者は少ない力で被介護者を移動させることができる。摩擦係数が低く滑り性が良好な材料としては、例えば、高密度に織られたナイロン、ポリエステル等が挙げられる。特に、旭化成せんい株式会社製「ｓｕｎｔｈｅｒｍｏ（サンサーモ）」（登録商標）が防水機能を有する上に摩擦係数が低く、滑り性に優れる点で好ましい。
【００２３】
表シート材２と裏シート材３の固定方法は特に限定されず、例えば、縫着、接着等が挙げられる。また、表シート材２と裏シート材３とをリベットやスナップボタン等を用いて固定してすることにより、両部材を取り外し可能に構成しても良い。両部材を取り外し可能に構成することにより、表シート材２又は裏シート材３を個別に洗濯することが可能となる。
【００２４】
表シート材２及び／又は裏シート材３は防臭加工が施されていてもよい。防臭加工は、特に限定されるものではなく、例えば、臭いを吸収して封じ込めて防臭するタイプ、臭いを包み込むタイプ、臭いを吸着し分解するタイプ等が挙げられる。より具体的には、臭気成分を活性炭等の有する細孔に取り込んで防臭する方法、臭気の原因となる細菌等の繁殖を抑制して防臭する方法、臭気をより強い芳香でマスキングする方法、光によって活性化される光触媒を用いて臭気成分を分解する方法、酸アルカリの中和反応を用いて臭気成分を無臭の別物質に変換する化学的中和方法等が挙げられる。なお、ここで上記「防臭」には「消臭」の意味も含まれる。
【００２５】
また、表シート材２及び／又は裏シート材３は、上記防臭加工以外に、例えば、抗菌加工、抗カビ加工、抗シワ加工、ストレッチ加工等のうち一種以上が施されていても良い。
【００２６】
把持材４は、図１に示すように、当該防水シート１の裏面の角部に重設される帯状の部材であり、当該防水シート１の角部を構成する一対の縁部間に架け渡されるように固定されている。このように把持材４を帯状に構成し、当該防水シート１の裏面の角部に重設することにより、当該防水シート１を寝具として用いても把持材４が邪魔にならない。
【００２７】
把持材４の縁部への固定方法としては、当該防水シート１に被介護者を乗せて把持材４を引く際に充分な強度が得られる方法であれば特に限定されず、例えば、縫着、接着等の他、リベット等の部材を用いて縁部へ固定してもよい。
【００２８】
把持材４のサイズとしては、使用者が握りやすく把持材４として充分な強度が得られるサイズであれば特に限定されるものではなく、例えば、把持材４の幅の上限としては５ｃｍが好ましく、４ｃｍがより好ましい。一方、把持材４の幅の下限としては２．５ｃｍが好ましく、３ｃｍがより好ましい。また、把持材４の長さの上限としては２０ｃｍが好ましく、１８ｃｍがより好ましく、１７ｃｍがさらに好ましい。一方、把持材４の長さの下限としては１０ｃｍが好ましく、１３ｃｍがより好ましく、１５ｃｍがさらに好ましい。なお、ここで把持材４の「長さ」とは、図２に示すように、角部を構成する一対の縁部間の長さであって、把持材４の幅の中央を通る線Ｌの長さを意味する。
【００２９】
把持材４の形成材料としては、特に限定されるものではなく、例えば表シート材２又は裏シート材３と同じ材料を用いることができる。
【００３０】
また、把持材４の中間部が裏面に固定されているとよい。固定の形態としては、図１に示すように、把持材４の中間部における中央の部分が一カ所裏面に固定されている場合の他、例えば、把持材４の中間部の長手方向において複数の箇所で裏面に固定されている場合等が挙げられる。把持材４の中間部の裏面への固定方法は、特に限定されるものではなく、把持材４の縁部への固定方法と同じでよい。このように把持材４の中間部が裏面に固定されていることにより、被介護者を乗せて防水シート１を引く際、把持材４を握る指の位置が固定され、把持材４が手の中でズレるのを効果的に防止することができる。また、当該防水シート１に加わる介護者の力の作用点が分散するため、把持材４から防水シート１本体に伝わる力が分散されて把持材４の固定部分が壊れにくくなる。また、介護者の力が当該防水シート１本体に伝わりやすくなるため、被介護者を乗せた防水シート１を任意の方向に安定して引きやすくなる。把持材４の握り方は特に限定されるものではなく、把持材４だけを握ってもよいし、把持材４を握ると共に当該防水シート１自体をも握り一緒に引いてもよい。
【００３１】
当該防水シート１の使用方法としては、例えば、ベッドの上を自力では移動できない所謂寝たきりの被介護者の下に寝具として敷設する。このような寝たきりの被介護者は、食事等の際にベッドの上半分を起こすと、からだの位置がベッドの足下方向へ自然とずれてしまい、そのまま再度ベッドを平らに戻すと被介護者の頭部は本来の枕の位置よりも足下の方向にずれたままとなってしまう。そのような場合に、介護者は当該防水シート１の把持材４を握り当該防水シート１を目的の方向へ引くことによって、被介護者を適切な位置まで容易に移動することができる。また、当該防水シート１は、被介護者を寝具上で上下方向や左右方向へ位置移動させるだけではなく、例えば、ベッドからストレッチャーへの移動の際にも好適に用いることができる。
【００３２】
上記実施形態は、図１に示すように、表シート材２及び裏シート材３がそれぞれ１層で構成されているが、この形態に限られるものではなく、表シート材２及び／又は裏シート材３が２層以上の同種又は異種のシート材から構成されていても良い。
【００３３】
また、当該防水シート１は、上記介護用としての用途だけではなく、例えば夜尿症（おねしょ）用、生理用、レジャー用、ペット用等としても好適に用いることができる。
【産業上の利用可能性】
【００３４】
以上のように、本考案は、寝具として常設しても取手が邪魔にならず、また被介護者の位置移動が容易にできる防水シートを提供することができる。また、本考案は、介護用以外にも、例えば、夜尿症（おねしょ）用、生理用、レジャー用、ペット用等としても好適に用いることができる。
【符号の説明】
【００３５】
１  防水シート
２  表シート材
３  裏シート材
４  把持材
【図１】
0003162957.tif 000003
【図２】
0003162957.tif 000004